(57)【要約】 【課題】  本願発明は、柔軟質袋体内の生ゴミの撹拌を行うにしてて、簡便な構成と簡便な操作を提供する。【解決手段】  本体容器１内に菌床及び生ゴミを収容する柔軟質袋体５が吊り下げ状態で内装され、この柔軟質袋体５の内側の底部の中央部５ｃに紐状材８が取り付けてある。【選択図】    図１
2008100136.tif 000002
【特許請求の範囲】
【請求項１】
本体容器内に菌床及び生ゴミを収容する柔軟質袋体が吊り下げ状態で内装され、この柔軟質袋体の内側の底部の中央部に紐状材が取り付けてあり、この紐状材を持ち上げることによって柔軟質袋体を持ち上げて菌床及び生ゴミを落下させて攪拌することを特徴とする生ゴミ処理容器。
【請求項２】
本体容器の上縁部に回転ハンドルを取付け、そのハンドルの端部に前記紐状材の端部を取り付けることを特徴とする請求項１の生ゴミ処理容器。
【請求項３】
本体容器の開口部を覆う上蓋に排出口を設け、その排出口の内側に脱臭フィルタを取り付けてなることを特徴とする請求項１又は請求項２の生ゴミ処理容器。
【発明の詳細な説明】
【技術分野】
【０００１】
本発明は、生ゴミの発酵処理を支障なく、効率的に行うことができる生ゴミ処理容器に関する。
【背景技術】
【０００２】
最近、生ゴミを発酵処理することにより堆肥としてリサイクルする利用法が盛んに行われている。この生ゴミの発酵処理は、嫌気性微生物あるいは好気性微生物によって行なわれるが、嫌気性微生物による場合には、発酵に際して強烈な悪臭が生じるため、好気性微生物による方法が採用されることが多い。
この好気性微生物による発酵処理に際しては、通常、攪拌翼を回転することによってエアレーションされる。
又、特開２０００−１２６５７６号公報には、外箱内に菌床及び生ゴミを収容する柔軟質袋体が吊り下げ状態で内装され、この柔軟質袋体の外周面に紐状材が渡設され、この紐状材を緊張することによって柔軟質袋体を持ち上げて菌床及び生ゴミを攪拌する生ゴミ処理装置が開示してある。
【０００３】
【特許文献１】特開２０００−１２６５７６号公報
【発明の開示】
【発明が解決しようとする課題】
【０００４】
しかしながら、柔軟質袋体の外周面に紐状材が渡設されているので、この紐状材を緊張することによって柔軟質袋体を持ち上げても、柔軟質袋体内の生ゴミは十分な撹拌ができないことが判明した。即ち、柔軟質袋体を持ち上げると、柔軟質袋体の片方の底部が持ち上がり、柔軟質袋体内の生ゴミも片方が持ち上がり、低い方に落下して混合するに過ぎないので、十分な撹拌を得ることができない。  そこで、本願の発明は、柔軟質袋体内の生ゴミを紐状材を用いて、簡便に、且つ、十分な撹拌ができる生ゴミ処理容器を提供する。
【課題を解決するための手段】
【０００５】
請求項１の生ゴミ処理容器は、本体容器内に菌床及び生ゴミを収容する柔軟質袋体が吊り下げ状態で内装され、この柔軟質袋体の内側における底部の中央部に紐状材が取り付けてある。
そして、この紐状材を持ち上げることによって、柔軟質袋体の中央部が持ち上って、菌床及び生ゴミは周囲に落下して攪拌をする。
又、請求項２の生ゴミ処理容器は、本体容器の上縁部に回転ハンドルを取付け、そのハンドルの端部に前記紐状材を取り付けてあるので、この回転ハンドルを廻すと、簡便に、柔軟質袋体の中央部が持ち上って、菌床及び生ゴミは周囲に落下して攪拌をする。
又、請求項３の生ゴミ処理容器は、本体容器の開口部を覆う上蓋に排出口を設け、その排出口の内側に脱臭フィルタを取り付けてあるので、醗酵によって生ずる水蒸気は脱臭されて排出される。
【発明の効果】
【０００６】
請求項１の生ゴミ処理容器は、紐状材を持ち上げると、柔軟質袋体の内部の底部中央が噴火山のようになり、生ゴミが周囲に落下して十分な撹拌ができる。
又、請求項２の生ゴミ処理容器は、ハンドルによって紐状材を持ち上げることができるので、簡便に柔軟質袋体を持ち上げて撹拌できる。
又、請求項３の生ゴミ処理容器は、排出口の内側に取付けの脱臭フィルタによって、脱臭されて排出される。
【発明を実施するための最良の形態】
【０００７】
本発明に係る生ゴミ処理容器について図面を参照して説明する。
図１（Ａ）は生ゴミ処理容器の正面断面図であり、図１（Ｂ）は紐状材を持ち上げたときの柔軟質袋体の側面断面図である。
直方体状の本体容器１は樹脂等で製作してあり、本体容器１の底に付設の足脚２４を介して箱状の台座２に載置してあるので、本体容器１の底と台座２との間は、外気を通気可能な隙間２５が形成される。
又、この本体容器１の底は、空気を通気可能な金網で形成してある。従って、外気は、前記隙間２５から本体容器１の底を経て、後述の柔軟質袋体５に導かれて醗酵に寄与する。尚、この隙間２５から害虫の出入を避けるために、周囲に通気性を有する布やフィルム（図示略）等で覆ってある。
【０００８】
また、この本体容器１の上開口部には上蓋２０が取り付けてあり、この上蓋２０の側部の一部には、空気の排出口２１が形成してあり、この排出口２１の内側には活性炭で構成の脱臭フィルタ２２が取り付けてある。
従って、生ゴミの醗酵によって生ずる水蒸気等は、前記消臭フィルタ２２によって脱臭した状態で排出される。
又、前記本体容器１内には、生ゴミを入れる網状の柔軟質袋体５が吊下げてある。この柔軟質袋体５は、前記本体容器１の内形状に合わせて、ここでは略直方体形状で、上部に開口部５ａを有してある。
尚、柔軟質袋体５が網状であるのは、本体容器１の底部と台座２との間に形成の隙間２５から空気を取り入れて、好気性菌により十分に発酵処理を可能にするためである。又、この柔軟質袋体５の網状の空隙率等は、処理するゴミのサイズ等にあわせて選定する。
【０００９】
又、前記柔軟質袋体５の内側の底部５ｂの中央部５ｃには、紐状材８の端部が取り付けてある。又、前記本体容器１の上縁部１ａには、軸受１２が固定してあり、その軸受１２には回転ハンドル１５が取り付けてある。この回転ハンドル１５は、両端が水平な操作部１５ａ、１５ｂを形成の逆Ｕ字状であり、一方の操作部１５ｂは本体容器１内に、他方の操作部１５ａは本体容器１外に位置する。そして、前記本体容器１内の一方の操作部１５ｂには、前記紐状材８の他端部８ａが取り付けてある。
又、前記台座２には、前記網状の柔軟質袋体５から落下した落下物を受け入れる引出体１０が装着してある。
【００１０】
次に、前記構成の生ゴミ処理容器の使用方法について説明する。
この本体容器１に内装された柔軟質袋体５内には、予め好気性菌が入れてあるが、不足のときには、生ゴミと共に好気性菌も一緒に入れる。そして、生ゴミを投入後は、本体容器１の開口部を上蓋２０で閉じる。
次に、回転ハンドル１５を廻すと、紐状材８は引き上げられると共に、柔軟質袋体５の底部５ｂの中央部５ｃも上昇し、柔軟質袋体５の中央部５ｃが、噴火山のように持ち上がるため、柔軟質袋体５の中央部にある生ゴミは、その中央部の周囲より低い周囲に落下することになり撹拌される。
そして、回転ハンドル１５を元の状態に戻すと、柔軟質袋体５内の生ゴミは撹拌されて、元の姿態になる。
次に、前記１回の撹拌では不十分と判断したときには、撹拌が十分であると判断するまで、前記回転ハンドル１５の操作を行うことによって、より撹拌がされる。
【００１１】
以上のように、本願の発明は、柔軟質袋体５内の生ゴミと好気性菌を撹拌するに当って、柔軟質袋体５内の底部の中央部５ｃに取り付けた紐状材８を引き上げることによって、柔軟質袋体５内の生ゴミは中央で噴火山のように持ち上がるため、柔軟質袋体５の中央部にある生ゴミは、その中央部の周囲より低い周囲に落下することになり撹拌される。尚、この回数が多いほど撹拌がよくなる。
又、柔軟質袋体５内の底部の中央部５ｃに紐状材８を取り付けるという、極めて単純な構成で、且つ、この紐状材８を引き上げるという簡便な操作で撹拌されるので、経済性に富む生ゴミ処理容器である。
尚、紐状材８を持ち上げるに際して、人力の例を挙げたが、電動力等を使用してもよい。
【００１２】
次に、図２は、柔軟質袋体５内の底部の中央部５ｃに取り付けた紐状材８を引き上げるに際して、人手で行う構成であり、図１と同じ部品意は同じ符号を附して説明を略す。
本体容器１の開口部５ａの上部には、滑車９が取り付けてある。又、紐状材８は、柔軟質袋体５内の底部の中央部５ｃに取り付けられ、前記滑車９で支持されて、本体容器１の外に導かれている。
【００１３】
この構成の生ゴミ処理容器の使用方法は、前記と同様であり、柔軟質袋体５内の撹拌に際して、紐状材８を引っ張る。この紐状材８の引っ張りにより、柔軟質袋体５の底部５ｂの中央部５ｃが上昇して、柔軟質袋体５の中央部５ｃが噴火山のように持ち上がり、柔軟質袋体５の中央部にある生ゴミは、その中央部の周囲より低い周囲に落下することになり撹拌される。
この様に、回転ハンドル１５によらずに、紐状材８だけで構成しても撹拌できる。
【００１４】
以上のように、本願の発明は、柔軟質袋体の内部の底部中央に紐状材８を取付け、この紐状材８を引っ張ることにより、柔軟質袋体５の底部５ｂが噴火山のようになり、生ゴミか周囲に落下して、従来に比して十分な撹拌ができる。
尚、前記柔軟質袋体の内部における底部中央に、紐状材８を取付けるに際して、この紐状材８の本数は、複数本であってもよい。例えば、底部が長い柔軟質袋体にあっては、適宜の間隔で、紐状材８を底部中央に取付け、紐状材８を引き上げることによって、該底部中央が持ち上がって、生ゴミがその周囲に落下して混合できる。
【図面の簡単な説明】
【００１５】
【図１】（Ａ）は生ゴミ処理容器の正面断面図であり、（Ｂ）は紐状材を持ち上げたときの柔軟質袋体の側面断面図である。
【図２】紐状材を人手で持ち上げる構造の生ゴミ処理容器の正面断面図である。
【符号の説明】
【００１６】
１  本体容器
４  柔軟質袋体
５ｃ  底部の中央部
８  紐状材
１５  回転ハンドル
【図１】
2008100136.tif 000003
【図２】
2008100136.tif 000004